(57)【要約】【課題】前面を光らせることができるとともに、側面を広く光らせることができる遊技機を提供する。【解決手段】発光装置７７は、発光基板１００と、発光基板１００の前面側に配置される前面側リフレクタ１４２と、発光基板１００の背面側に配置される背面側リフレクタ２３０と、を備え、発光基板１００は、発光基板１００の前面に設けられ遊技機の前方に向けて光を出射する第一光源１１０と、発光基板１００の前面に設けられ前面側リフレクタ１４２に向けて光を出射する第二光源１１０と、発光基板１００の背面に設けられ背面側リフレクタ２３０に向けて光を出射する第三光源１１０と、を備え、前面側リフレクタ１４２は、第二光源１１０からの光を遊技機の側方に向けて反射し、背面側リフレクタ２３０は、第三光源１１０からの光を前記側方に向けて反射するので、前面を光らせることができるとともに、側面を広く光らせることができる。【選択図】図１１
2018175638.tif 000002
【特許請求の範囲】
【請求項１】
発光装置を有する遊技機であって、
前記発光装置は、発光基板と、この発光基板の前面側に配置される前面側リフレクタと、前記発光基板の背面側に配置される背面側リフレクタと、を備え、
前記発光基板は、この発光基板の前面に設けられ遊技機の前方に向けて光を出射する第一光源と、前記発光基板の前面に設けられ前記前面側リフレクタに向けて光を出射する第二光源と、前記発光基板の背面に設けられ前記背面側リフレクタに向けて光を出射する第三光源と、を備え、
前記前面側リフレクタは、前記第二光源からの光を遊技機の側方に向けて反射し、
前記背面側リフレクタは、前記第三光源からの光を前記側方に向けて反射することを特徴とする遊技機。
【請求項２】
前記発光基板は、前記側方に向けて光を出射する第四光源を備えることを特徴とする請求項１に記載の遊技機。
【発明の詳細な説明】
【技術分野】
【０００１】
本発明は、遊技機に関する。
【背景技術】
【０００２】
スロットマシンやパチンコ遊技機等の遊技機では、装飾や演出のための発光装置を有することがある。このような発光装置は、遊技機の前方を向く発光装置前面だけでなく、遊技機の側方を向く発光装置側面も光らせることが望まれる場合がある。
【０００３】
発光装置前面および発光装置側面を光らせることができる発光装置を備える遊技機としては、例えば特許文献１に記載のものが知られている。この遊技機においては、発光装置の外側発光体の光と内側発光体の光の一部とは遊技機の前方に向けて出射され発光装置前面を光らせる一方、内側発光体の光の一部は遮光壁に形成された反射面に向かい、この反射面で遊技機の側方に向けて反射され発光装置側面を光らせる。
【先行技術文献】
【特許文献】
【０００４】
【特許文献１】特開２０１３−１３５９５号公報
【発明の概要】
【発明が解決しようとする課題】
【０００５】
ところで、特許文献１に記載の発光装置では、内側発光体から出射された光の一部は反射面で反射され遊技機の側方に向かうが、具体的にはこの光は遊技機の斜め前方に向かうように反射される。したがって、このような発光装置では、発光体の側方や斜め後方には光を届けることができず、遊技機の側面を広く光らせることができないおそれがある。
【０００６】
本発明は、前記事情に鑑みてなされたもので、前面を光らせることができるとともに、側面を広く光らせることができる遊技機を提供することを目的とする。
【課題を解決するための手段】
【０００７】
前記目的を達成するために、本発明の遊技機は、発光装置を有する遊技機であって、前記発光装置は、発光基板と、この発光基板の前面側に配置される前面側リフレクタと、前記発光基板の背面側に配置される背面側リフレクタと、を備え、前記発光基板は、この発光基板の前面に設けられ遊技機の前方に向けて光を出射する第一光源と、前記発光基板の前面に設けられ前記前面側リフレクタに向けて光を出射する第二光源と、前記発光基板の背面に設けられ前記背面側リフレクタに向けて光を出射する第三光源と、を備え、前記前面側リフレクタは、前記第二光源からの光を遊技機の側方に向けて反射し、前記背面側リフレクタは、前記第三光源からの光を前記側方に向けて反射することを特徴とする。
【０００８】
本発明においては、第一光源から出射された光は遊技機の前方に向かうので、遊技機の前面を光らせることができる。また、第二光源から出射された光は発光基板の前面側に配置された前面側リフレクタに向かい遊技機の側方に向けて反射され、第三光源から出射された光は発光基板の背面側に配置された背面側リフレクタに向かい遊技機の前記側方に向けて反射される。したがって、発光基板（光源）よりも前側の遊技機側面だけでなく、発光基板（光源）よりも後側の遊技機側面も光らせることができ、遊技機の側面を広く光らせることができる。
【０００９】
また、本発明の前記構成において、前記発光基板は、前記側方に向けて光を出射する第四光源を備えることが好ましい。
【００１０】
このような構成によれば、第二光源からの光によって光る、発光基板よりも前側の遊技機側面と、第三光源からの光によって光る、発光基板よりも後側の遊技機側面との間を、第四光源からの光によって光らせることができ、遊技機の側面に発光基板の影等が映るのを防ぐことができる。
【発明の効果】
【００１１】
本発明の遊技機によれば、前面を光らせることができるとともに、側面を広く光らせることができる。
【図面の簡単な説明】
【００１２】
【図１】本発明の実施の形態に係る遊技機の一例を示すもので、その斜視図である。
【図２】同、上扉を示す分解斜視図である。
【図３】同、可動役物ユニット示す斜視図である。
【図４】同、目隠し部材を示すもので、（ａ）は右側から見た斜視図、（ｂ）は後側から見た斜視図である。
【図５】同、右側発光装置を示す分解斜視図である。
【図６】同、ベース部材、上側発光基板および下側発光基板を示す分解斜視図である。
【図７】同、ベース部材、上側発光基板および下側発光基板を示すもので、（ａ）は正面図、（ｂ）は右側面図である。
【図８】同、背面側部材を示すもので、（ａ）は前側から見た斜視図、（ｂ）は後側から見た斜視図である。
【図９】同、右側発光装置および駆動機構の要部を示すもので、右側から見た斜視図である。
【図１０】同、右側発光装置におけるＬＥＤからの光の進行方向を説明するためのもので、右側発光装置の要部を前側から見た斜視図である。
【図１１】同、右側発光装置におけるＬＥＤからの光の進行方向を説明するためのもので、右側発光装置および駆動機構の要部を上側から見た断面図である。
【発明を実施するための形態】
【００１３】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１４】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１５】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１６】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部中央には、表示窓３１の上方に表示窓３２が設けられている。この表示窓３２は上扉３０に設けられた液晶パネルを有する画像表示装置７１（ディスプレイ。図２参照。）の表示面を見るために設けられたものであり、この画像表示装置７１では、その表示面に遊技機における演出用の画像が表示されるようになっている。なお、画像表示装置７１は、演出用の画像を表示できるものであれば、液晶ディスプレイ以外のディスプレイであってもよい。
また、上扉３０の表示窓３２の上部および左右両側部には、報知や演出などを行うためのランプ３３ａ,３３ｂが設けられている。
【００１７】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００１８】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００１９】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２０】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００２１】
図２に示すように、上扉３０は、キャビネットベース７０と、このキャビネットベース７０の背面側に固定される画像表示装置７１と、キャビネットベース７０の前面側に固定される可動役物ユニット７２と、この可動役物ユニット７２を前側から覆うようにしてキャビネットベース７０の前面側に固定される意匠ユニット７４と、を備えている。
また、意匠ユニット７４は、意匠ユニット本体７５と、意匠ユニット本体７５の左側に配置される左側発光装置７６と、意匠ユニット本体７５の右側に配置される右側発光装置７７とを備えている。すなわち、左側発光装置７６と右側発光装置７７とは、それぞれスロットマシンＭの上部左側前方または上部右側前方に配置されている（図１参照）。
【００２２】
意匠ユニット本体７５は、正面視略長方形状で、上部中央には、画像表示装置７１の表示面を露出させるための開口部７８が設けられている。また意匠ユニット本体７５の下部中央には、表示窓３１を露出させるための開口部７９が設けられている。また、意匠ユニット本体７５の前面には装飾用の意匠が施されている。
【００２３】
キャビネットベース７０は、正面視において略長方形の枠体であり、キャビネットベース７０の上部中央には、画像表示装置７１の表示面を露出させるための長方形の開口部８０が設けられている。そして、画像表示装置７１は、その表示面が開口部８０を通して遊技者から見えるようにされた状態で、キャビネットベース７０の背面側にネジ止めにより固定されている。
なお、キャビネットベース７０の下部中央には、前記回転リールを露出させるための長方形の開口部が設けられており、この開口部には、表示窓３１が設けられている。
【００２４】
可動役物ユニット７２は、図３に示すように、正面視において略長方形の枠状であり、キャビネットベース７０の開口部８０を囲うようにして、キャビネットベース７０の前面側にネジ止めにより固定されている。
可動役物ユニット７２は、画像表示装置７１の表示面の前方に配置される２つの可動部材８３，８３（可動役物）と、この可動部材８３，８３を左右に移動させる駆動機構８２とを備えている。駆動機構８２は、左右方向の長さがキャビネットベース７０の左右方向の長さと略一致する左右に長尺な部材であって、開口部８０の上側に配置されている。また、駆動機構８２は、左右の両端部にモータ８４，８４（電子部品）を備えている。
【００２５】
モータ８４は、その下部前方に、モータ８４に電源および制御信号を送るためのハーネス（配線）が接続されるコネクタ８５を備えている。コネクタ８５に接続されるハーネスの一端は、上扉３０の上端部中央に設けられた中継基板に接続されており、この中継基板を介して、表示や音声や照明、あるいは可動部材８３，８３による演出を制御する副制御基板からの信号がモータ８４に送られるようになっている。
【００２６】
駆動機構８２は、モータ８４，８４で生じた動力を可動部材８３，８３に伝達し、これにより、可動部材８３，８３を左右に移動させるようになっている。具体的には、左側のモータ８４で生じた電力は、左側の可動部材８３に伝達され、これにより左側の可動部材８３が左右に移動される。また、右側のモータ８４で生じた電力は右側の可動部材８３に伝達され、これにより右側の可動部材８３が左右に移動される。そして、２つの可動部材８３，８３は、画像表示装置７１の表示面の前方を左右に移動し、表示面に表示される画像とともに遊技の演出を行う。
【００２７】
また、モータ８４の前側部分の左右方向外側には、目隠し部材９０が配置されている。また、目隠し部材９０は、駆動機構８２の、モータ８４が固定されている部分に取り付けられている。
【００２８】
目隠し部材９０は、透光性を有さない白色の合成樹脂により一体的に成形されており、図４に示すように、長方形板状の目隠し部材本体９１と、目隠し部材９０を駆動機構８２に取り付け駆動機構８２（モータ８４）と一体化するための取付部９２と、コネクタ８５に接続される前記ハーネスを係止するための配線係止部９３と、を備えている。
【００２９】
目隠し部材本体９１は、その板面を左右方向に向けて配置されており、モータ８４の一部を遊技者から見えないように隠す目隠し部材として機能するとともに、後述するＬＥＤ１１０からの光を反射する反射面（リフレクタ）としても機能するようになっている。また、目隠し部材本体９１の右側の面（外側面）の前端部は、前側ほど左側に向かうように、目隠し部材本体９１の板面に対して傾斜した傾斜面９１ａとなっている。
取付部９２は、目隠し部材本体９１の上端部から左方に向けて延びる板状部９４と、この板状部９４の左端部に設けられ、上方に突出する突起部９５と、板状部９４と目隠し部材本体９１との接合部にこれらと一体的に設けられるとともに上端部が板状部９４の上面よりも上方に突出するボス９６と、を備えている。そして、目隠し部材９０は、駆動機構８２側に設けられた突起部９５が挿入される穴とボス９６の上端部が挿入される穴とのそれぞれに、突起部９５またはボス９６が挿入されることで、位置決めがなされているとともに、ボス９６に設けられたネジ孔にネジがねじ込まれることで、駆動機構８２に取り付けられている。
【００３０】
また、配線係止部９３は、断面略Ｌ字状をしており、Ｌ字の短辺の端部が目隠し部材本体９１の上端部前方と一体的に接合されるとともに、Ｌ字の長辺が左方に向けて板状部９４と略平行に延びるように形成されている。そして、この配線係止部９３と板状部９４との間に形成される隙間に、コネクタ８５に接続される前記ハーネスが通され、配線係止部９３によって、当該ハーネスの前方への動きが規制されるようになっている。言い換えると、配線係止部９３は、モータ８４に繋がれるハーネスを係止するフックとなっている。
【００３１】
左側発光装置７６と右側発光装置７７とは、ほぼ同様の構成であり、その形状はほぼ左右対称となっている。したがって、以下では右側発光装置７７について説明し、左側発光装置７６についてはその説明を省略する。
【００３２】
右側発光装置７７は、図５に示すように、上側発光基板１００と、下側発光基板１０１と、上側発光基板１００および下側発光基板１０１を支持するベース部材１０２と、ベース部材１０２の前側および左側（スロットマシンＭの内側を向く側面側）を覆う前面カバー１０３と、ベース部材１０２の右側（スロットマシンＭの外側を向く側面側）を覆う側面カバー１０４と、を備えている。また、前面カバー１０３は、スロットマシンＭの前面の一部を構成しており、側面カバー１０４は、スロットマシンＭの外側面の一部を構成している（図１および図２参照）。
【００３３】
上側発光基板１００は、図５および図６に示すように、略長方形板状をしており、その背面の下部と前面とには光源としてのＬＥＤ１１０が複数設けられている。また、上側発光基板１００の前面上部には、上側発光基板１００に電源および制御信号を送るためのハーネス（配線）が接続されるコネクタ１１１が設けられている。また、上側発光基板１００には、後述するボス１８７を挿通させるためのボス挿通孔１１２が上下に離間して２つ設けられている。
【００３４】
下側発光基板１０１は、上下に長尺な略長方形板状をしており、左右方向の幅は、上側発光基板１００と略同一となっている。また、下側発光基板１０１の前面には、光源としてのＬＥＤ１１０が複数設けられている。なお、下側発光基板１０１の背面には、ＬＥＤ１１０は設けられていない。
下側発光基板１０１には、ネジを挿通させるためのネジ挿通孔１１６が上下に離間して２つ設けられている。また、下側発光基板１０１の左縁部には、略半円状の切欠部１１３が上下に離間して２つ設けられている。また、下側発光基板１０１の右縁部には、略半円状の切欠部１１４が上下に離間して３つ設けられている。また、下側発光基板１０１の右縁部には、後述する突起部１８５を挿通させるための挿通孔１１５が上下に離間して２つ設けられている。
【００３５】
また、下側発光基板１０１の背面上部には、上から順に、上側発光基板１００に電源および制御信号を送るためのハーネス（配線）が接続されるコネクタ１２０と、下側発光基板１０１に電源および制御信号を送るためのハーネス（配線）が接続されるコネクタ１２１とが設けられている。コネクタ１２１に接続されるハーネスの一端は、上扉３０の上端部中央に設けられた中継基板に接続されており、この中継基板を介して、前記副制御基板からの信号が上側発光基板１００および下側発光基板１０１に送られるようになっている。なお、この中継基板は、モータ８４と接続される前記中継基板とは別に備えられていてもよく、同一のものであってもよい。また、上側発光基板１００への副制御基板からの信号は、下側発光基板１０１を経由して送られる。
【００３６】
ベース部材１０２は、ベース部材本体１３０と、上側発光基板１００の背面側を覆う上側カバー１３１と、下側発光基板１０１の背面側を覆う下側カバー１３２と、上側カバー１３１の背面側に取り付けられる背面側部材１３３と、を備えている。
【００３７】
ベース部材本体１３０は、透光性を有さない白色の合成樹脂により一体的に成形されており、図６および図７に示すように、上側発光基板１００と略同一の大きさの略長方形板状の上側背板１３５と、下側発光基板１０１と略同一の大きさの略長方形板状の下側背板１３６とを備えている。また、上側背板１３５および下側背板１３６は、板面を前後方向に向け、上側背板１３５が下側背板１３６よりも前方に位置するように配置されている。また、上側背板１３５と下側背板１３６とは、下側背板１３６の上端縁から上側背板１３５の下端縁に向けて、上側背板１３５および下側背板１３６の板面に対して略垂直に延びる中間壁１３７によって繋がれている。
そして、上側背板１３５の背面側には上側発光基板１００が設けられ、下側背板１３６の背面側には下側発光基板１０１が設けられるようになっている。すなわち、ベース部材１０２の上部は、上側発光基板１００が設けられる上側発光基板取付部となっており、ベース部材１０２の下部は、下側発光基板１０１が設けられる下側発光基板取付部となっている。そして、上側発光基板取付部は、下側発光基板取付部よりも前方に突出している。
【００３８】
上側背板１３５および下側背板１３６には、上側発光基板１００の前面または下側発光基板１０１の前面に設けられたＬＥＤ１１０を露出させるための複数の露出孔１４０が、各ＬＥＤ１１０に対応する位置に設けられている。
また、上側背板１３５の上端部には、上側発光基板１００の前面に設けられたコネクタ１１１を露出させるためのコネクタ露出孔１４１が設けられている。
【００３９】
また、上側背板１３５の右下部分は、右側ほど前側に向かうように上側背板１３５の板面方向および上側発光基板１００に対して傾斜した傾斜面１４２となっている。この傾斜面１４２の後方には、上側発光基板１００の前面に上下に離間して設けられた２つのＬＥＤ１１０が配置されており、これらのＬＥＤ１１０から出射された光はこの傾斜面に当たり、右側に向かうようになっている。すなわち、傾斜面１４２は、ＬＥＤ１１０からの光を反射する反射面（リフレクタ）となっている。
【００４０】
上側背板１３５および下側背板１３６の前面には、図７に示すように、上側発光基板１００または下側発光基板１０１の前面に設けられたＬＥＤ１１０から出射される光を区分けするための複数の壁部１５１〜１６０が前方に突出して設けられている。
【００４１】
まず、上側背板１３５の前面上部には、コネクタ露出孔１４１の右側および下側を囲うようにして第一壁部１５１が設けられている。また、上側背板１３５の前面中央部には、前面中央部を左右に横切るようにして、第二壁部１５２が設けられている。また、この第二壁部１５２は、傾斜面１４２の上端部に隣接している。また、下側背板１３６の前面には、この前面を上下に４つの領域に区分けするようにして、下側背板１３６の前面を左右に横切る３つの壁部が設けられている。この３つの壁部を上から順に第三壁部１５３、第四壁部１５４、第五壁部１５５とする。また、下側背板１３６の前面には、下端縁に沿って第六壁部１５６が設けられている。また、下側背板１３６の前面の右縁には、第三壁部１５３の右端部から第四壁部１５４の右端部にかけて延設された第七壁部１５７と、第五壁部１５５の右端部から第六壁部１５６の右端部にかけて延設された第八壁部１５８とが形成されている。また、下側背板１３６の前面には、第四壁部１５４の略中央部から第五壁部１５５の左寄りの部分に向けて延設された第九壁部１５９が設けられている。
【００４２】
また、上側背板１３５の前面下部から下側背板１３６の前面上部にかけて、第二壁部１５２の中央やや右寄りの部分から第三壁部１５３の略中央部に向けて延設された第十壁部１６０が設けられている。また、第十壁部１６０の上側背板１３５側の部分は、後端縁が傾斜面１４２の前端縁と繋がっており、第十壁部１６０は傾斜面１４２の前端縁から前方に突設された状態となっている。また、上側背板１３５は、正面視において第十壁部１６０の右側の部分が切り欠かれた形状とされており、これにより切欠部１７０が形成されている。また、この切欠部１７０の後方には、上側発光基板１００の前面に上下に離間して設けられた２つのＬＥＤ１１０が配置されている。
【００４３】
これらの壁部１５１〜１６０は、上側背板１３５、下側背板１３６、上側発光基板１００および下側発光基板１０１に対して略垂直となっている。そして、各壁部１５１〜１６０は、各壁部１５１〜１６０に囲われた領域から隣接する領域にＬＥＤ１１０からの光が漏れるのを防ぐ遮光壁として機能するのと同時に、各壁部１５１〜１６０に向かってきた光を反射する反射面としても機能する。
【００４４】
上側背板１３５の背面には、図６に示すように、右下部分（切欠部１７０部分）および下縁部以外の部分を囲うように、上側背板１３５の縁部に沿って形成された突条部１８０が設けられている。また、下側背板１３６の背面には、下側背板１３６の左縁に沿って形成された突条部１８１が設けられている。
【００４５】
また、上側背板１３５の背面および下側背板１３６の背面には、頂部（後端部）が平らな背面視円形の突出部１８２が複数設けられている。また、下側背板１３６の背面には、円柱状の突出部１８３が上下に離間して２つ設けられている。また、この突出部１８３の中心にはネジ孔１８４が設けられている。また、下側背板１３６の背面右側には、突出部１８２，１８３よりも高さの高い突起部１８５が、上下に離間して２つ設けられている。
【００４６】
また、上側背板１３５の背面には、後方に突出するボス１８７が上下に離間して２つ設けられている。また、下側背板１３６の背面の左側には、後方に突出するボス１８８が上下に離間して２つ設けられている。また、下側背板１３６の右側には、後方に突出するボス１８９が上下に離間して３つ設けられている。
【００４７】
下側カバー１３２は、透光性を有する透明な合成樹脂により形成されている。また、下側カバー１３２は、図５および図６に示すように、上下に長尺で、前側が開口した薄型の箱状となっている。下側カバー１３２の上部には、下側発光基板１０１のコネクタ１２０，１２１を露出させるための切欠部１９０が設けられている。また、下側カバー１３２には、上下に離間して２つのネジ挿通孔１９１が設けられている。また、下側カバー１３２の左縁部には、下側背板１３６のボス１８８を挿通させるためのボス挿通孔１９２が、上下に離間して２つ設けられている。また、下側カバー１３２の右縁部には、略半円状の切欠部１９３が上下に離間して３つ設けられている。また、下側カバー１３２には、ネジ挿通孔１９１を囲うようにして前方に突出する円筒状の突出部１９４が上下に離間して２つ設けられている。
【００４８】
下側発光基板１０１は、その切欠部１１３，１１４に下側背板１３６のボス１８８，１８９が挿通され、挿通孔１１５に下側背板１３６の突起部１８５が挿通されることにより、下側背板１３６に対して位置決めがなされている。また、下側発光基板１０１は、その前面を下側背板１３６の突出部１８２，１８３の後端部に当接させた状態となっており、下側発光基板１０１の前面と下側背板１３６の背面との間には所定の間隔が形成されている。
【００４９】
下側カバー１３２は、ボス挿通孔１９２に下側背板１３６のボス１８８が挿通され、切欠部１９３にボス１８９が挿通されることにより、下側背板１３６に対して位置決めがなされている。また、下側カバー１３２の左側面は、下側背板１３６の突条部１８１の外側を覆うようにして、突条部１８１の左側に配置されている。また、下側カバー１３２の右側面の前端部および突出部１９４の前端部は、下側発光基板１０１の裏面に当接している。そして、下側カバー１３２のネジ挿通孔１９１および下側発光基板１０１のネジ挿通孔
１１６に挿通されたネジが下側背板１３６のネジ孔１８４にねじ込まれることで、下側カバー１３２が下側発光基板１０１の背面側を覆った状態で、下側カバー１３２および下側発光基板１０１が、ベース部材本体１３０に固定されている。
【００５０】
上側カバー１３１は、透光性を有する透明な合成樹脂により成形されている。また、上側カバー１３１は、前側が開口した薄型の箱状となっている。また、上側カバー１３１の左右方向中心よりもやや左寄りの部分には、上側カバー１３１の上下方向中心部から下端部にかけ上下に延びるスリット状の穴２００が設けられている。また、上側カバー１３１には、上側背板１３５のボス１８７を挿入させるためのボス挿入孔２０１が上下に離間して２つ設けられている。なお、下側のボス挿入孔２０１は、穴２００よりも右側に設けられている。また、上側カバー１３１には、ボス挿入孔２０１を囲うようにして前方に突出する円筒状の突出部２０３が設けられている。また、上側カバー１３１には、ボス挿通孔２０１よりも小径の孔２０５が上下かつ左右に離間して２つ設けられている。
【００５１】
また、上側カバー１３１の右側面下部には、ＬＥＤ１１０からの光を発散させるレンズカットが施されたレンズ部２１０が形成されている。また、レンズ部２１０は、上側カバーレンズ１３１の上下方向中心部から下端部にかけて形成されている。また、レンズ部２１０は、前後方向から見たときの断面形状がのこぎり刃状であり、レンズカットの内側から外側（左側から右側）に向かう光が上下方向に広がるように、光の進む方向を変化させる。すなわち、上側カバー１３１は、ＬＥＤ１１０からの光を発散させるインナーレンズとなっている。
【００５２】
背面側部材１３３は、透光性を有さない白色の合成樹脂により一体的に成形されている。背面側部材１３３は、図８に示すように、板面を前後方向に向けた板状の背板２２０を備えている。また、背板２２０の背面には、背板２２０の左縁に沿って上下方向に延びる上下に長尺な板状の左側壁部２２１が、板面を左右方向に向けた状態で設けられている。また、背板２２０の左右方向中央部には、上下方向に延びる上下に長尺な板状の中央壁部２２２が、左側壁部２２１と略平行に設けられている。すなわち、背板２２０と左側壁部２２１と中央壁部２２２とによって、断面コ字状の上下に延びる溝部２２３が形成されている。
【００５３】
溝部２２３には、上側発光基板１００のコネクタ１１１と下側発光基板１０１のコネクタ１２０とに繋がれる前記ハーネス、および、下側発光基板１０１のコネクタ１２１と前記中継基板とに繋がれる前記ハーネスが通されるようになっており、これらのハーネスの溝部２２３を通る部分は、背板２２０、左側壁部２２１および中央壁部２２２に覆われ遊技者から見えないようにされている。すなわち、溝部２２３は、配線が遊技者から見えない状態で通される配線通路（第一配線通路２２３）となっている。
【００５４】
また、左側壁部２２１および中央壁部２２２の上端部は、背板２２０の上端部よりも上方に突出している。また左側壁部２２１の上端部の後端部には、三角形の板状の係止爪２２５が右方向に突出して設けられている。また、また中央壁部２２２の上端部の後端部には、三角形の板状の係止爪２２６が左方向に突出して設けられている。２つの係止爪２２５，２２６の間には所定の隙間が設けられており、この隙間から、溝部２２３に配線を引き入れることが可能にされている。また、溝部２２３を通る配線の逸脱が係止爪２２５，２２６によって抑制されている。
【００５５】
また、背板２２０の右縁の下部には、背板２２０の右縁に沿って上下方向に延びる板状の反射板２３０（リフレクタ）が設けられている。また、反射板２３０は、後側ほど右側に向かうように、背板２２０および上側発光基板１００の板面方向に垂直な方向に対してわずかに傾斜した状態となっている。また、反射板２３０の後端部は、中央壁部２２２の後端部よりも後方に突出している。また、反射板２３０の後端面は、右側ほど後側に向かうように、反射板２３０の板面方向に対して傾斜している。
【００５６】
そして、背面側部材１３３には、背板２２０と中央壁部２２２と反射板２３０とによって、断面略コ字状の上下に延びる溝部２３１が形成されている。この溝部２３１には、溝部２２３に通される配線とは異なる信号を伝送する配線が通される。そして、溝部２３１を通される配線の、溝部２３１を通される部分は、背板２２０、中央壁部２２２および反射板２３０に覆われ遊技者から見えないようにされている。すなわち、溝部２３１は、配線が遊技者から見えない状態で通される配線通路（第二配線通路２３１）となっている。また、溝部２２３と溝部２３１と間には中央壁部２２２があるので、溝部２２３を通る配線と溝部２３１を通る配線との間で、これらの配線を通る信号が干渉し合うのを防ぐことができるようになっている。
【００５７】
また、背面側部材１３３は、左側壁部２２１の下部から左側、後側および下側に向けて延出する延出部２３５を備えている。また、延出部２３５の前方を向く面は、上側発光基板１００側および前面カバー１０３側を向く曲面形状となっており、ＬＥＤ１１０からの光を反射する反射面となっている。また、この延出部２３５には、右側へ向けて延びる係止板２３６が設けられている。この係止板２３６は、背板２２０、中央壁部２２２および反射板２３０よりも下方に配置されている。また、係止板２３６の前端部は、中央壁部２２２の後端部よりも後方であって、反射板２３０の後端部よりも前方に位置している。すなわち、係止板２３６と、背板２２０、中央壁部２２２および反射板２３０との間には隙間が設けられており、この隙間から、溝部２２３および溝部２３１に配線を引き入れることが可能にされている。また、溝部２２３または溝部２３１を通る配線の逸脱が、係止板２３６により抑制されている。
【００５８】
また、中央壁部２２２の上部には、中央壁部２２２の側面から右側に突出する係止板２３８が設けられている。係止板２３８は、背板２２０よりも上方かつ後方に配置されており、係止板２３８の右端部は、反射板２３０よりも右側に突出している。また、係止板２３８の右端部には、前方に突出する係止爪２３９が設けられている。すなわち、係止板２３８と、背板２２０、中央壁部２２２および反射板２３０との間には隙間が設けられており、この隙間から、溝部２３１に配線を引き入れることが可能とされている。また、溝部２３１を通る配線の逸脱が係止板２３８により抑制されている。
【００５９】
背板２２０の前面の下部には、背板２２０の左縁に沿って上下方向に延びる上下に長尺な板状の突出板２４０が、板面を左右方向に向けた状態で設けられている。
また、背板２２０の前面には、前方に突出する突起部２４１が上下かつ左右に離間して２つ設けられている。
また、背板２２０の溝部２２３を構成する部分には、２つのネジ挿通孔２４２が上下に離間して設けられている。
【００６０】
上側発光基板１００は、ボス挿通孔１１２に上側背板１３５のボス１８７が挿通されることで、上側背板１３５に対して位置決めがなされている。また、上側発光基板１００は、その前面を上側背板１３５の突出部１８２の後端部に当接させた状態となっており、上側発光基板１００の前面と上側背板１３５の背面との間には所定の間隔が形成されている。
【００６１】
上側カバー１３１は、ボス挿入孔２０１に上側背板１３５のボス１８７が挿入されることで、上側背板１３５に対して位置決めがなされている。また、ボス１８７の後端面と、上側カバー１３１の背面とは面一となっている。また、上側カバー１３１の左側面の前端面および上側面の前端面は、突条部１８０の後端面に当接している。また、上側カバー１３１の右側面の前端面は、上側発光基板１００の背面に当接している。ここで、上側発光基板１００の背面の右端部は、上側カバー１３１に覆われておらず、露出した状態となっており、当該右端部にはＬＥＤ１１０が上下に離間して３つ配置されている。
【００６２】
背面側部材１３３は、その突起部２４１が上側カバー１３１の孔２０５に挿入されることで、上側カバー１３１に対して位置決めがなされている。また、背面側部材１３３の突出板２４０は、上側カバー１３１の穴２００に挿通された状態とされており、突出板２４０の前端面は、上側発光基板１００の背面に当接または近接した状態となっている。
そして、背面側部材１３３のネジ挿通孔２４２に挿通されたネジが、上側背板１３５のボス１８７に設けられたネジ孔にねじ込まれることで、上側カバー１３１が上側発光基板１００の背面を覆った状態で、背面側部材１３３、上側カバー１３１および上側発光基板１００が、ベース部材本体１３０に固定されている。
また、上側発光基板１００の背面の上側カバー１３１に覆われた部分であって、突出板２４０よりも右側の部分には、後述するサイドビューＬＥＤ１１０ｂが上下に離間して２つ配置されている（図６および図１１参照）。また、この２つのサイドビューＬＥＤ１１０ｂは、上側発光基板１００の背面の右端部に配置された前記３つのＬＥＤ１１０と、上下方向において互い違いになるように配置されている。
【００６３】
右側発光装置７７の要部と駆動機構８２との位置関係を図９に示す。図９に示すように、上側背板１３５、上側発光基板１００、上側カバー１３１および背面側部材１３３は、モータ８４の前方に配置されている。また、下側背板１３６、下側発光基板１０１および下側カバー１３２は、モータ８４の下方に配置されている。言い換えると、上側背板１３５、上側発光基板１００、上側カバー１３１および背面側部材１３３は、モータ８４を避けるように、下側背板１３６、下側発光基板１０１および下側カバー１３２よりも前方に配置されており、これにより形成されたスペースにモータ８４を含む駆動機構８２の右端部が収められている。
【００６４】
また、目隠し部材９０は、目隠し部材本体９１の右側の側面（外側面）が、背面側部材１３３の反射板２３０の右側の側面（外側面）と略面一になるようにして、背面側部材１３３の後方に、背面側部材１３３に隣接して配置されている（図１１参照）。
そして、コネクタ８５を含むモータ８４の前方部分は、目隠し部材９０によって右側が覆われているとともに、コネクタ８５の一部は、反射板２３０によって右側が覆われた状態となっている。また、コネクタ８５に接続される前記ハーネスは、その一部が、目隠し部材９０および反射板２３０によって右側が覆われた状態となっている。
なお、背面側部材１３３の反射板２３０と目隠し部材９０との間には、所定の間隔が設けられているが、この間隔が設けられずに、右側から見た際に反射板２３０と目隠し部材９０とが重なりあうようにされていてもよい。
【００６５】
次に、図１０および図１１を参照しながら、右側発光装置７７におけるＬＥＤ１１０からの光の進行方向について説明する。
前面カバー１０３および側面カバー１０４は、透光性を有する合成樹脂により成形されたレンズ部と、透光性を有さない合成樹脂により成形された意匠部と、を備え、このレンズ部と意匠部とによって、スロットマシンＭが装飾されている。また、当該レンズ部を通してＬＥＤ１１０からの光がスロットマシンＭの外に出射され、当該レンズ部が光るようになっている。また、側面カバー１０４は、その上部に配置された略円形の円形レンズ部２５０と、その略中央部に配置された略半円形の半円形レンズ部２５１とをレンズ部として備えている（図５参照）。
なお、ここで前面カバー１０３および側面カバー１０４のレンズ部は、透光性を有し、ＬＥＤ１１０からの光を透過させるものであればよく、球面状のもののみならず、装飾用の立体的形状に形成された透光性部材や、キャラクター等が描かれた平板状あるいは薄膜状のパネル等であってもよい。
【００６６】
右側発光装置７７が備えるＬＥＤ１１０には、上側発光基板１００または下側発光基板１０１の面方向に垂直な方向に光を出射するいわゆるトップビューＬＥＤ１１０ａと、上側発光基板１００または下側発光基板１０１の面方向に平行な方向に光を出射するいわゆるサイドビューＬＥＤ１１０ｂとの２種類がある。また、上側発光基板１００の裏面右下部に２列に整列して並べられたＬＥＤ１１０のうち、上側発光基板１００の面方向内側（左側）に１列に並べられた２つのＬＥＤ１１０がサイドビューＬＥＤ１１０ｂで（図６および図１１参照）、上側発光基板１００または下側発光基板１０１に設けられたこれ以外のＬＥＤ１１０は、トップビューＬＥＤ１１０ａとなっている。なお、前述のもの以外にもサイドビューＬＥＤ１１０ｂを備えることとしてもよい。
【００６７】
第一壁部１５１と第二壁部１５２とに囲われた第一領域２６１、第二壁部１５２と第三壁部１５３と第十壁部１６０とに囲われ第十壁部１６０の左側に位置する第二領域２６２、第三壁部１５３と第四壁部１５４とに囲われた第三領域２６３、第四壁部１５４と第五壁部１５５と第九壁部１５９とに囲われ第九壁部１５９の左側に位置する第四領域２６４および第五壁部１５５と第六壁部１５６とに囲われた第五領域２６５の、五つの領域２６１〜２６５に配置されたＬＥＤ１１０からの光は、前面カバー１０３のレンズ部に向かい、当該レンズ部を通してスロットマシンＭの外に出射される。具体的には、五つの領域２６１〜２６５に配置されたＬＥＤ１１０から出射される出射光束の中心の光は、上側発光基板１００または下側発光基板１０１の面方向に垂直な方向、すなわち正面方向に向かい、前面カバー１０３の前面側のレンズ部を通して正面方向に出射される。このとき、ＬＥＤ１１０から出射される光は広がりを持つため、一部の光は直接または各壁部１５１〜１６０で反射され、左方向に向かい、前面カバー１０３の左側の側面のレンズ部を通して左方向に出射される。
【００６８】
また、第四壁部１５４と第五壁部１５５と第九壁部１５９とに囲われ第九壁部１５９の右側に位置する第六領域２６６、および、第二壁部１５２と第三壁部１５３と第十壁部１６０とに囲われ第十壁部１６０の右側に位置する第七領域２６７の、二つの領域２６６，２６７に配置されたＬＥＤ１１０からの光は、前面カバー１０３の前面側のレンズ部または側面カバー１０４の円形レンズ部２５０もしくは半円形レンズ部２５１に向かい、これらのレンズ部を通してスロットマシンＭの外側に出射される。具体的には、二つの領域２６６，２６７に配置されたＬＥＤ１１０から出射される出射光束の中心の光は、上側発光基板１００または下側発光基板１０１の面方向に垂直な方向、すなわち正面方向に向かい、前面カバー１０３の前面側のレンズ部を通して正面方向に出射される。このとき、ＬＥＤ１１０から出射される光は、広がりを持つため、一部の光は、直接または各壁部１５１〜１６０で反射され右方向に向かい、側面カバー１０４の円形レンズ部２５０または半円形レンズ部２５１から出射される。
【００６９】
ここで、第七領域２６７におけるＬＥＤ１１０の光の進行方向を、上側発光基板１００の背面側に設けられたＬＥＤ１１０の光の進行方向も含め、図１１を参照しながら詳述する。
上側発光基板１００の前面下部の右端部に配置されたトップビューＬＥＤ１１０ａの前方には、切欠部１７０が形成されておりトップビューＬＥＤ１１０ａからの光を遮るものがない。このため、当該トップビューＬＥＤ１１０ａから前方に向けて出射される光Ａは、そのまま直進し、前面カバー１０３の前面側のレンズ部を通してスロットマシンＭの前方に出射される。
【００７０】
また、上側発光基板１００の前面であって、上側発光基板１００の前面下部の右端部に配置された前記トップビューＬＥＤ１１０ａよりも上側発光基板１００の面方向内側（左側）に配置されたトップビューＬＥＤ１１０ａの前方には、傾斜面１４２（リフレクタ）が配置されている。このため、当該トップビューＬＥＤ１１０ａから前方に向けて出射される光Ｂは、傾斜面１４２に向かい傾斜面１４２で反射され右方向に向かい、側面カバー１０４の円形レンズ部２５０を通してスロットマシンＭの右方に出射される。
【００７１】
また、上側発光基板１００の背面下部の右端部に配置されたトップビューＬＥＤ１１０ａの後方には、反射板２３０（リフレクタ）が設けられている。このため、当該トップビューＬＥＤ１１０ａから後方に向けて出射される光Ｃは、反射板２３０に向かい反射板２３０で反射され右方向に向かい、側面カバー１０４の円形レンズ部２５０を通して右方に出射される。また、反射板２３０の後方には、目隠し部材本体９１が配置されているので、反射板２３０に当たらずに、反射板２３０の右方を通過した光は、目隠し部材本体９１で反射され右方向に向かい、側面カバー１０４の円形レンズ部２５０を通してスロットマシンＭの右方に出射される。
【００７２】
また、上側発光基板１００の背面であって、上側発光基板１００の背面下部の右端部に配置された前記トップビューＬＥＤ１１０ａよりも上側発光基板１００の面方向内側（左側）に配置されたサイドビューＬＥＤ１１０ｂは、このサイドビューＬＥＤ１１０ｂからの光が右方に向けて出射されるように配置されている。また、このサイドビューＬＥＤ１１０ｂは上側カバー１３１に覆われており、このサイドビューＬＥＤ１１０ｂの右方には、レンズ部２１０が配置されている。このため、当該サイドビューＬＥＤ１１０ｂから右方に向けて出射される光Ｄは、レンズ部２１０を通り、上下方向に拡散され、側面カバー１０４の円形レンズ部２５０を通して右方に出射される。
【００７３】
このような構成の遊技機においては、上側発光基板１００の前面下部の右端部に配置されたトップビューＬＥＤ１１０ａから出射される光Ａは、スロットマシンＭの前方に向かうので、この光ＡによりスロットマシンＭの前面を光らせることができる。また、上側発光基板１００の前面に設けられ、傾斜面１４２の後方に配置されたトップビューＬＥＤ１１０ａから出射される光Ｂは、傾斜面１４２に向かい傾斜面１４２で反射され右方向に向かうので、この光ＢによりスロットマシンＭの右側面を光らせることができる。また、上側発光基板１００の背面下部の右端部に配置されたトップビューＬＥＤ１１０ａから出射される光Ｃは、反射板２３０に向かい反射板２３０で反射され右方向に向かうので、この光ＣによりスロットマシンＭの右側面を光らせることができる。このように、光Ｂと光ＣとによりスロットマシンＭの右側面を光らせることができるので、スロットマシンＭの右側面を広く光らせることができる。
【００７４】
下側発光基板１０１は、右側発光装置７７の後端部に配置されているため、第七領域２６７の下部や、第六領域２６６においては、下側発光基板１０１の前面に設けられたＬＥＤ１１０からの光は前方に向かうとともに、左右方向に広がり、円形レンズ部２５０や半円形レンズ部２５１から出射される。したがって、スロットマシンＭの側面を広く光らせることができる。一方で、上側発光基板１００は、右側発光装置７７の前後方向中心よりも前方に配置されているため、例えば、従来のように発光基板の前面にしかＬＥＤ１１０が配置されていない場合、円形レンズ部２５０の後方部分は十分に光らせることができない。しかし、本実施の形態においては、上述のように光Ｃによって、円形レンズ部２５０の後方部分も十分に光らせることができ、スロットマシンＭの右側面を広く光らせることができる。また、このように上側発光基板１００を、右側発光装置７７の前後方向中心よりも前方に配置することができるため、これにより形成されたスペースに駆動機構８２の右端部を配置することができ、スロットマシンＭ全体を小型化することができる。
【００７５】
また、サイドビューＬＥＤ１１０ｂから出射される光Ｄは、右方向に向かうので、この光ＤによりスロットマシンＭの右側面を光らせることができる。上側発光基板１００の側端面は光らないため、光Ｂと光ＣとによってスロットマシンＭの側面が光る際に、この側端面の影がスロットマシンＭの側面に映り、遊技者から見えてしまうおそれがある。しかし、当該サイドビューＬＥＤ１１０ｂを備えていることで、光Ｂによって光る部分と光Ｃによって光る部分との間の領域を光Ｄによって照らすことができ、スロットマシンＭの側面に上側発光基板１００の影が映るのを防ぐことができる。また、サイドビューＬＥＤ１１０ｂからの光が直接円形レンズ部２５０に照射されると、リフレクタによって反射されて円形レンズ部２５０に届く光Ｂや光Ｃに比べて光Ｄが強くなり過ぎてしまったり、サイドビューＬＥＤ１１０ｂの形状が見えてしまういわゆる点光りが発生したりするおそれがある。しかし、サイドビューＬＥＤ１１０ｂの右方にはレンズ部２１０が配置されているため、サイドビューＬＥＤ１１０ｂの光を拡散して光Ｄが強くなりすぎるのを防いだり、点光りを抑制したりすることができる。
【００７６】
このように、スロットマシンＭの前面側に向かう光（光Ａ）は、リフレクタや光を拡散させるレンズ部２１０等を介さずに、前面カバー１０３に当たる。したがって、遊技を行う遊技者の方向に向かって強い光を出射することができ、演出を際立たせることができる。一方、スロットマシンＭの側面側に向かう光（光Ｂ，Ｃ，Ｄ）は、リフレクタや光を拡散させるレンズ部２１０等を介して側面カバー１０４に当たる。したがって、スロットマシンＭの側方に向かう光は、淡い光とすることができ、周囲の他の遊技機で遊技を行っている遊技者等に向けて強い光が発せられるのを防ぐことができる。
【００７７】
なお、反射板２３０は、傾斜面１４２よりも、上側発光基板１００の面方向に対する傾斜角度が大きくなっており、上側発光基板１００の面方向に対して垂直に近い角度で傾斜している。また、傾斜面１４２で反射される光Ｂを出射するＬＥＤ１１０および傾斜面１４２は、反射板２３０で反射される光Ｃを出射するＬＥＤ１１０および反射板２３０よりも、上側発光基板１００の面方向内側（左側）、すなわち、側面カバー１０４から離れた位置に配置されている。
【００７８】
また、このような構成の遊技機においては、ベース部材１０２は、上側発光基板１００からの光を反射する反射板２３０を備えているので、この反射板２３０が上側発光基板１００からの光により照らされる。しかし、配線が遊技者から見えない状態で通される配線通路である溝部２２３および溝部２３１を備えているので、スロットマシンＭの内部の配線の少なくとも一部を遊技者から見えないように隠すことができる。具体的には、溝部２２３の右側が中央壁部２２２に覆われ、溝部２３１の右側が反射板２３０に覆われていることにより、溝部２２３および溝部２３１を通る配線が、スロットマシンＭの右側面から円形レンズ部２５０を通して見ることができないようになっている。
また、ベース部材１０２の上部後方にベース部材１０２に隣接して配置されるモータ８４の前方部分は、目隠し部材９０によって右側が覆われており、モータ８４の一部がスロットマシンＭの右側面から円形レンズ部２５０を通して見ることができないよう隠されているので、モータ８４の少なくとも一部を遊技者から見えないようにすることができる。また、ベース部材１０２とは別体として、目隠し部材９０を備えているので、スロットマシンＭの組み立ての自由度を広げ、スロットマシンＭの組み立ての工程を簡素化することができる。また、ベース部材１０２とは別に、目隠し部材９０を備えているので、ベース部材１０２を大型化することなく、モータ８４の少なくとも一部を遊技者から見えないように隠すことができ、ベース部材１０２自体の製造誤差や、組み立て時の誤差を小さくすることができるので、これらの誤差を考慮したスペースを確保しておく必要が無く、省スペースでベース部材１０２周辺の配線やモータ８４を遊技者から見えないようにすることができる。
【００７９】
また、目隠し部材９０は、モータ８４を含む駆動機構８２と一体化されており、これにより一つの組立体とされている。一方、ベース部材１０２は、右側発光装置７７という一つの組立体の一部となっている。一般に、これらの組立体のような、大きい部材どうしを組み合わせるのは難しく、例えば、目隠し部材９０が右側発光装置７７側に設けられている場合、両組立体を組み合わせる際に、目隠し部材９０の裏にモータ８４の前方部分が隠れるようにしつつ、両組立体を組み合わせなければならず、モータ８４のコネクタ８５等が右側発光装置７７に当たってしまうおそれがある。しかし、本構成の遊技機においては、組み立て時に、まず目隠し部材９０を駆動機構８２と一体化してから、右側発光装置７７と組み合わせることができるので、コネクタ８５等と右側発光装置７７との接触等を防ぎ、安全かつ容易に遊技機を組み立てることができる。また、目隠し部材９０は、配線係止部９３を備えているので、目隠し部材９０と軌道機構８２とを一体化して一つの組立体とした際に、モータ８４に接続される配線を配線係止部９３に係止して、当該配線をまとめることができる。したがって、当該配線が予期せぬ方向に動くのを防ぐことができ、目隠し部材９０と駆動機構８２とが一体化された組立体の取り扱いが容易となる。
【００８０】
また、モータ８４に繋がれる配線の一部は、目隠し部材９０および反射板２３０によって右側が覆われており、当該配線の一部がスロットマシンＭの右側面から円形レンズ部２５０を通して見ることができないよう隠されているので、当該配線の少なくとも一部を遊技者から見えないようにすることができる。
【００８１】
また、目隠し部材９０の目隠し部材本体９１は、上側発光基板１００からの光を反射するリフレクタとなっているので、目隠し部材９０を、上側発光基板１００からの光を反射するリフレクタとして使用することができる。したがって、スロットマシンＭの右側面を広く光らせるために反射板２３０の他にリフレクタを設けたり反射板２３０を大きくしたりする必要が無く、ベース部材１０２周辺の構成を簡素化することができる。
【００８２】
また、目隠し部材９０によって一部が隠されているモータ８４およびモータ８４に繋がれる配線がベース部材１０２によって隠されているので、目隠し部材９０によって隠しきれない部分をベース部材１０２によって隠すことができ、目隠し部材９０を大型化することなく、モータ８４やモータ８４に繋がれる配線の一部を遊技者から見えないように隠すことができる。したがって、省スペースでベース部材１０２周辺の、モータ８４やモータ８４に繋がれる配線を遊技者から見えないようにすることができる。
【符号の説明】
【００８３】
７７  右側発光装置
１００  上側発光基板
１１０  ＬＥＤ（光源）
１４２  傾斜面（リフレクタ）
２３０  反射板（リフレクタ）
【図１】
2018175638.tif 000003
【図２】
2018175638.tif 000004
【図３】
2018175638.tif 000005
【図４】
2018175638.tif 000006
【図５】
2018175638.tif 000007
【図６】
2018175638.tif 000008
【図７】
2018175638.tif 000009
【図８】
2018175638.tif 000010
【図９】
2018175638.tif 000011
【図１０】
2018175638.tif 000012
【図１１】
2018175638.tif 000013